(57)【特許請求の範囲】
【請求項１】
光が入射する入光面と、前記入光面に交差し光が出射する出光面と、前記出光面に対向する背面とを有し、前記入光面から入射した光を導光方向に導光しながら前記出光面から出射する導光板であって、
前記出光面には、出光側単位光学形状が、前記導光方向に垂直であって該導光板の厚み方向に垂直な方向に複数配列されており、
前記出光側単位光学形状は、前記導光方向に延在し、前記出光面から窪んだ溝形状に形成されており、
隣り合う前記出光側単位光学形状間には、該導光板の厚み方向において最も出光側に位置し、出光面に略平行な平坦部が設けられており、
前記平坦部は、前記出光側単位光学形状の配列方向における幅寸法ｔが、０．５μｍ≦ｔ≦２．５μｍであること、
を特徴とする導光板。
【請求項２】
請求項１に記載の導光板において、
前記平坦部は、前記出光側単位光学形状の配列方向における幅寸法ｔが、０．５μｍ≦ｔ≦２．０μｍであること、
を特徴とする導光板。
【請求項３】
請求項１又は請求項２に記載の導光板において、
前記出光側単位光学形状は、前記溝形状の底部が前記背面側に凹となる凹曲面に形成されていること、
を特徴とする導光板。
【請求項４】
請求項１から請求項３までのいずれか１項に記載の導光板において、
前記背面に、背面側単位光学形状が前記導光方向に複数配列され、
前記背面側単位光学形状は、背面側に凸であり、その配列方向に平行であって該導光板の厚み方向に平行な断面において、その断面形状が略四角形形状であり、入光面側に位置する第１斜面部と、これに対向して他方側に位置して入射する光の少なくとも一部を全反射する第２斜面部と、前記第１斜面部と前記第２斜面部との間に位置する頂面部とを有し、
前記頂面部は、該導光板の背面側に配置される反射部材と接触する接触部を備えること、
を特徴とする導光板。
【請求項５】
請求項１から請求項４までのいずれか１項に記載の導光板と、
前記導光板の前記入光面に対面する位置に設けられ、前記入光面へ光を投射する光源部と、
前記導光板の出光面側に配置され、前記導光板から出射した光を、そのシート面の法線方向又は法線方向となす角度が小さくなる方向へ向ける偏向作用を有する偏向光学シートと、
を備える面光源装置。
【請求項６】
請求項５に記載の面光源装置と、
前記面光源装置によって背面側から照明される透過型表示部と、
を備える透過型表示装置。
【発明の詳細な説明】
【技術分野】
【０００１】
本発明は、導光板、面光源装置、透過型表示装置に関するものである。
【背景技術】
【０００２】
従来、ＬＣＤ（Ｌｉｑｕｉｄ  Ｃｒｙｓｔａｌ  Ｄｉｓｐｌａｙ）パネル等の透過型表示部を背面から面光源装置（バックライト）によって照明し、映像を表示する透過型表示装置が知られている。
面光源装置は、大きく分けて、各種光学シート等の光学部材の直下に光源を配置する直下型のものと、光学部材の側面側に光源が配置されるエッジライト型のものがある。このうち、エッジライト型の面光源装置は、光源を導光板等の光学部材の側面側に配置することから、直下型のものに比べて面光源装置をより薄型化できるという利点を有し、近年広く用いられている。
【０００３】
一般的に、エッジライト型の面光源装置では、導光板の側面である入光面に対面する位置に光源が配置されており、光源が発する光は、入光面から導光板に入射し、出光面とこれに対向する背面とで反射を繰り返しながら、入光面からそれに対向する面側へ、入光面に直交する方向（導光方向）に進む。
そして、導光板の背面に設けられた拡散パターンやプリズム形状等によって光の進行方向を変化させることにより、出光面の導光方向に沿った各位置から少しずつ光がＬＣＤパネル側へ出光していく（例えば、特許文献１）。
【先行技術文献】
【特許文献】
【０００４】
【特許文献１】特開２０１２−３８８３号公報
【発明の概要】
【発明が解決しようとする課題】
【０００５】
特許文献１の発明は、導光板の出光面に、導光方向に延在し、出光面から窪んだ溝形状から構成される出光側単位光学形状を設けることによって、表示面の入光面側近傍における明るさの面内バラつきを目立たなくしている。
このような導光板は、表示装置に用いられる場合に、導光板の出光面上にプリズムシート等の偏向光学シートが積層されるため、上述のように導光板の出光面に出光側単位光学形状が設けられている場合、偏向光学シートは、導光板の隣り合う出光側単位光学形状間の境界部と接触することとなり、導光板及び偏向光学シートの接触面積が非常に狭くなる。
【０００６】
このように、導光板と偏向光学シートとの接触面積が狭くなると、導光板及び偏向光学シートを積層させた積層体を運搬したり、面光源装置や表示装置の組立作業を行ったりする場合に生じる振動（微振動）によるシートの擦れによって、偏向光学シートの導光板側の面が傷付いたり、導光板の出光側単位光学形状間の境界部が傷付いたり、破損したりする場合があった。また、導光板や偏向光学シートに付着した微細な塵等が接触部分に挟まってしまい、導光板や偏向光学シートが傷付いたり、破損したりする場合もあった。
【０００７】
本発明の課題は、出光面上に配置される偏向光学シートや、導光板の出光側単位光学形状が傷付いたり、破損したりしてしまうのを抑制することができる導光板、面光源装置、透過型表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、光が入射する入光面（１３ａ）と、前記入光面に交差し光が出射する出光面（１３ｃ）と、前記出光面に対向する背面（１３ｄ）とを有し、前記入光面から入射した光を導光方向に導光しながら前記出光面から出射する導光板（１３）であって、前記出光面には、出光側単位光学形状（１３５）が、前記導光方向（Ｘ方向）に垂直であって該導光板の厚み方向（Ｚ方向）に垂直な方向（Ｙ方向）に複数配列されており、前記出光側単位光学形状は、前記導光方向に延在し、前記出光面から窪んだ溝形状に形成されており、隣り合う前記出光側単位光学形状間には、該導光板の厚み方向において最も出光側（Ｚ２側）に位置し、前記出光面に略平行な平坦部（１３６）が設けられており、前記平坦部（１３６）は、前記出光側単位光学形状（１３５）の配列方向（Ｙ方向）における幅寸法ｔが、０．５μｍ≦ｔ≦２．５μｍであること、を特徴とする導光板である。
請求項２の発明は、請求項１に記載の導光板（１３）において、前記平坦部（１３６）は、前記出光側単位光学形状（１３５）の配列方向（Ｙ方向）における幅寸法ｔが、０．５μｍ≦ｔ≦２．０μｍであること、を特徴とする導光板である。
請求項３の発明は、請求項１又は請求項２に記載の導光板（１３）において、前記出光側単位光学形状（１３５）は、前記溝形状の底部（１３５ｃ）が前記背面（１３ｄ）側に凹となる凹曲面（１３５ａ）に形成されていること、を特徴とする導光板である。
請求項４の発明は、請求項１から請求項３までのいずれか１項に記載の導光板（１３）において、前記背面（１３ｄ）に、背面側単位光学形状（１３１）が前記導光方向に複数配列され、前記背面側単位光学形状は、背面側に凸であり、その配列方向に平行であって該導光板の厚み方向に平行な断面において、その断面形状が略四角形形状であり、入光面側に位置する第１斜面部（１３２）と、これに対向して他方側に位置して入射する光の少なくとも一部を全反射する第２斜面部（１３３）と、前記第１斜面部と前記第２斜面部との間に位置する頂面部（１３４）とを有し、前記頂面部は、該導光板の背面側に配置される反射部材と接触する接触部（１３４ｄ）を備えること、を特徴とする導光板である。
請求項５の発明は、請求項１から請求項４までのいずれか１項に記載の導光板（１３）と、前記導光板の前記入光面（１３ａ）に対面する位置に設けられ、前記入光面へ光を投射する光源部（１２）と、前記導光板の出光面（１３ｃ）側に配置され、前記導光板から出射した光を、そのシート面の法線方向又は法線方向となす角度が小さくなる方向へ向ける偏向作用を有する偏向光学シート（１５）と、を備える面光源装置（１０）である。
請求項６の発明は、請求項５に記載の面光源装置（１０）と、前記面光源装置によって背面側から照明される透過型表示部（１１）と、を備える透過型表示装置（１）である。
【発明の効果】
【０００９】
本発明によれば、出光面上に配置される偏向光学シートや、導光板の出光側単位光学形状が傷付いたり、破損したりしてしまうのを抑制することができる。
【図面の簡単な説明】
【００１０】
【図１】実施形態の透過型表示装置１を説明する図である。
【図２】実施形態の導光板１３の形状を説明する図である。
【図３】実施形態の出光側単位光学形状１３５の詳細を説明する図である。
【図４】比較例の導光板の出光面の形状を示す図である。
【図５】実施形態の背面側単位光学形状１３１を説明する図である。
【図６】実施形態の背面側単位光学形状１３１の配列方向の各部における形状を示す図である。
【図７】実施形態のプリズムシート１５を説明する図である。
【図８】実施形態の導光板１３における光の導光の様子の一例を示す図である。する図である。
【図９】評価に用いた試験体の加振試験の状態を示す図である。
【図１０】各試験体の評価結果をまとめた図である。
【図１１】変形形態の出光側単位光学形状１３５を説明する図である。
【図１２】変形形態の出光側単位光学形状１３５を説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、シート面（板面，フィルム面）とは、各シート（板，フィルム）において、そのシート（板，フィルム）全体として見たときにおける、シート（板，フィルム）の平面方向となる面を示すものであるとする。
【００１２】
（実施形態）
図１は、本実施形態の透過型表示装置１を説明する図である。
本実施形態の透過型表示装置１は、ＬＣＤパネル１１と面光源装置１０とを備えている。透過型表示装置１は、ＬＣＤパネル１１を背面側から面光源装置１０で照明し、ＬＣＤパネル１１に形成される映像情報を表示する。
なお、図１を含め以下の図中及び以下の説明において、理解を容易にするために、透過型表示装置１の使用状態において、透過型表示装置１の画面に平行であって互いに直交する２方向をＸ方向（Ｘ１−Ｘ２方向）、Ｙ方向（Ｙ１−Ｙ２方向）とし、透過型表示装置１の画面に直交する方向をＺ方向（Ｚ１−Ｚ２方向）とする。なお、Ｚ方向においてＺ１側が背面側であり、Ｚ２側は観察者側である。
本実施形態の透過型表示装置１の画面は、ＬＣＤパネル１１の最も観察者側の面（以下、表示面という）１１ａに相当し、透過型表示装置１の「正面方向」とは、この表示面１１ａの法線方向であり、Ｚ方向に平行であり、後述するプリズムシート１５のシート面への法線方向や導光板１３の板面等への法線方向と一致するものとする。
【００１３】
ＬＣＤパネル１１は、透過型の液晶表示素子により形成され、その表示面に映像情報を形成する透過型表示部である。
このＬＣＤパネル１１は、略平板状である。ＬＣＤパネル１１の外形及び表示面１１ａは、Ｚ方向から見て矩形形状であり、Ｘ方向に平行な対向する２辺と、Ｙ方向に平行な対向する２辺とを有している。
【００１４】
面光源装置１０は、ＬＣＤパネル１１を背面側から照明する装置であり、光源部１２、導光板１３、反射シート１４、プリズムシート１５、光拡散シート１６を備えている。この面光源装置１０は、所謂、エッジライト型の面光源装置（バックライト）である。
この面光源装置１０を構成する導光板１３、反射シート１４、プリズムシート１５、光拡散シート１６等は、正面方向（Ｚ方向）から見て矩形形状であり、Ｘ方向に平行な対向する２辺と、Ｙ方向に平行な対向する２辺とを有している。
【００１５】
光源部１２は、ＬＣＤパネル１１を照明する光を発する部分である。この光源部１２は、導光板１３のＸ方向の一方（Ｘ１側）の端面である入光面１３ａに対面する位置に、Ｙ方向に沿って配置されている。
光源部１２は、点光源１２１がＹ方向に所定の間隔で複数配列されて形成されている。この点光源１２１は、ＬＥＤ（Ｌｉｇｈｔ  Ｅｍｉｔｔｉｎｇ  Ｄｉｏｄｅ）光源を用いている。なお、光源部１２は、例えば、冷陰極管等の線光源としてもよいし、Ｙ方向に延在するライトガイドの端面に光源を配置した形態としてもよい。また、光源部１２の発する光の利用効率を向上させる観点から、光源部１２の外側を覆うように不図示の反射板を設けてもよい。
【００１６】
導光板１３は、光を導光する略平板状の部材である。本実施形態では、入光面１３ａ及び対向面１３ｂは、導光板１３のＸ方向の両端部（Ｘ１側端部、Ｘ２側端部）に位置し、板面の法線方向（Ｚ方向）から見てＹ方向に平行に延在する２辺である。また、導光板１３の板面は、ＸＹ面に平行であり、出光面１３ｃは、この板面に平行な面であるとする。
この導光板１３は、光源部１２が発する光を入光面１３ａから入射させ、出光面１３ｃと背面１３ｄとで全反射させながら、入光面１３ａに対向する対向面１３ｂ側（Ｘ２側）へ、主としてＸ方向に導光しながら、出光面１３ｃからプリズムシート１５側（Ｚ２側）へ適宜出射させる。
以下、導光板１３の各部について説明する。
【００１７】
図２は、本実施形態の導光板１３の形状を説明する図である。図２（ａ）は、出光側単位光学形状１３５を説明する図であり、図２（ｂ）は、背面側単位光学形状１３１を説明する図である。図２（ａ）では、導光板１３のＹＺ面に平行な断面の一部を拡大して示し、図２（ｂ）では、導光板１３のＸＺ面に平行な断面の一部を拡大して示している。
図３は、本実施形態の出光側単位光学形状１３５の詳細を説明する図である。図３では、図２（ａ）に示す導光板１３のＹＺ面に平行な断面の一部をさらに拡大して示している。
導光板１３は、図２に示すように、出光面１３ｃには、出光側単位光学形状１３５が複数配列して形成され、背面１３ｄには、背面側単位光学形状１３１が複数配列されて形成されている。
【００１８】
出光側単位光学形状１３５は、図１及び図２（ａ）に示すように、出光面側（ＬＣＤパネル１１側、Ｚ２側）から窪んだ溝形状に形成されており、Ｘ方向（導光方向）に延在し、Ｙ方向に複数隣接して配列されている。
出光側単位光学形状１３５は、図２（ａ）及び図３に示すように、その溝形状の底部１３５ｃに背面１３ｄ側に凹となる凹曲面１３５ａが形成されており、また、その凹曲面１３５ａのＹ方向の両端に、溝形状の端縁部１３５ｄから底部１３５ｃ側へと傾斜する平坦な傾斜面１３５ｂが形成されている。出光側単位光学形状１３５は、図３に示す断面において、底部１３５ｃを通り厚み方向（Ｚ方向）に平行な線を境に左右対称に形成されている。
【００１９】
これにより、本実施形態の導光板１３は、導光板内において導光される光をよりＹ方向に広げて出光することができ、光源部１２に使用されるＬＥＤに色ムラや輝度ムラが存在していたとしても、出光面の中央部分に筋状のムラが生じてしまったり、入光面近傍にホットスポットが生じてしまったりするのを抑制することができる。
また、本実施形態の出光側単位光学形状１３５をこのような形態にすることにより、導光板１３の出光面に付着した塵等の異物をエアーブロー等によって容易に除去することが可能になる。
【００２０】
図４は、比較例の導光板の出光面の形状を示す図である。図４は、図２（ａ）に対応する図である。
ここで、図１に示すように、導光板の出光面上には、プリズムシート１５等の偏向光学シートが配置される。そのため、導光板の出光面上に出光側単位光学形状が形成されている場合、導光板の出光面とプリズムシートとの接触面積が狭くなってしまう。
例えば、図４に示すように、導光方向に直交する面（ＹＺ面）における断面形状が略円弧状に形成された溝形状が、導光板の出光面のＹ方向に隙間なく配列されている場合、各溝形状の境界部ｓ１がプリズムシートとの接触部となり、導光板とプリズムシートとの接触面積は非常に狭くなる。
【００２１】
このように、導光板とプリズムシートとの接触面積が狭くなると、導光板及びプリズムシートを積層させた状態で運搬したり、面光源装置や表示装置の組立作業を行ったりする場合に生じる振動によって、プリズムシートの導光板側の面が傷付いたり、導光板の出光側単位光学形状間の境界部ｓ１が傷付いたり、破損したりする場合があった。特に、図７に示すプリズムシートのように、導光板側の面に単位プリズムが形成されている場合、導光板及びプリズムシート間の接触面積が更に狭くなってしまい、上述の傷付きや破損がより生じやすくなってしまう。
また、導光板やプリズムシートに付着した微細な塵等が接触部分に挟まってしまい、導光板やプリズムシートが傷付いたり、破損したりする場合もあった。
【００２２】
そこで、本実施形態の導光板１３は、上述の問題を回避するために、隣り合う出光側単位光学形状１３５間に、出光面１３ｃと略平行な平坦部１３６が設けられている。導光板１３の出光面１３ｃにおいて、出光側単位光学形状１３５が出光面１３ｃから窪んだ溝形状に形成されているため、この平坦部１３６が、導光板１３の厚み方向（Ｚ方向）において、最も出光側（Ｚ２側）に位置する部位となり、出光面１３ｃ上に積層されるプリズムシート１５と接触する。
このように出光側単位光学形状１３５間に平坦部１３６を設けることによって、導光板１３は、出光面１３ｃとプリズムシート１５の導光板１３側の面との接触面積を増やすことができる。これにより、導光板１３は、出光側単位光学形状１３５の境界部（平坦部１３６）や、プリズムシート１５の導光板１３側の面が傷付いたり、破損したりしてしまうのを大幅に抑制することができる。
【００２３】
ここで、平坦部１３６が出光面１３ｃと略平行であるとは、平坦部１３６が出光面１３ｃに対して完全に平行である場合だけでなく、平坦部１３６が出光面１３ｃに対して若干傾斜（例えば、出光面に対して±５度の範囲で傾斜）している場合も含むものをいう。
また、平坦部１３６とは、完全に平坦な面だけでなく、Ｚ１側に微少に湾曲した凹曲面状や、Ｚ２側に微少に湾曲した凸曲面状に形成される面（凹曲面及び凸曲面の曲率半径は、例えば、１０μｍ以上）も含むものをいう。
【００２４】
この出光側単位光学形状１３５の配列ピッチは、Ｐ２であり、配列方向（Ｙ方向）における出光側単位光学形状１３５の幅は、Ｗ２１である。また、配列方向（Ｙ方向）における平坦部１３６の幅は、Ｗ２３である。本実施形態では、出光側単位光学形状１３５及び平坦部１３６が交互に配列されているため、配列ピッチＰ２は、出光側単位光学形状１３５の幅Ｗ２１及び平坦部１３６の幅Ｗ２３の和に等しい形態となる（Ｐ２＝Ｗ２１＋Ｗ２３）。
また、出光側単位光学形状１３５の端縁部１３５ｄに接する面（傾斜面１３５ｂ）と導光板１３の出光面１３ｃ（導光板１３の出光側の板面、ＸＹ面に平行な面、図３中の一点鎖線）とがなす端部角度は、θである。更に、導光板１３の出光面１３ｃ（導光板１３の出光側の板面、ＸＹ面に平行な面、図３中の一点鎖線）から出光側単位光学形状１３５の底部１３５ｃまでの距離（以下、出光側単位光学形状１３５の深さという）は、ｈ２である。また、出光側単位光学形状１３５に形成される凹曲面１３５ａの配列方向（Ｙ方向）の幅は、Ｗ２２である。
【００２５】
配列ピッチＰ２としては、１０〜１００μｍ程度とすることが好ましい。
配列ピッチＰ２がこの範囲よりも小さいと、出光側単位光学形状１３５の製造が困難となり、設計通りの形状が得られなくなる。また、配列ピッチＰ２がこの範囲よりも大きいと、ＬＣＤパネル１１の画素とのモアレが生じやすくなったり、面光源装置１０等としての使用状態において、出光側単位光学形状１３５のピッチが認識されやすくなったりする。従って、配列ピッチＰ２は、上記範囲とすることが好ましい。
【００２６】
また、平坦部１３６の幅Ｗ２３は、０．５μｍ≦Ｗ２３≦２．５μｍの範囲で形成されるのが望ましい。仮に、平坦部１３６の幅Ｗ２３が０．５μｍ未満の場合、平坦部１３６の幅が狭すぎてしまい、平坦部１３６や、プリズムシート１５の導光板側の面を傷付けたり、破損させたりするので望ましくない。また、平坦部１３６の幅Ｗ２３が２．５μｍよりも大きい場合、導光板１３及びプリズムシート１５の傷付き等は回避することができるが、導光板１３から出光する光にホットスポットが顕著に生じてしまう可能性があるため望ましくない。導光板１３から出光する光にホットスポットが生じてしまうのをより効果的に抑制する観点から、Ｗ２３は、２．０μｍ以下（Ｗ２３≦２．０μｍ）であることがより望ましい。
【００２７】
図５は、本実施形態の背面側単位光学形状１３１を説明する図である。図５では、図２（ｂ）に示す導光板１３のＸＺ面に平行な断面の一部をさらに拡大して示している。
背面側単位光学形状１３１は、図１，図２（ｂ），図５に示すように、背面側（Ｚ１側）に凸となる柱状であり、長手方向（稜線方向）をＹ方向とし、導光方向となるＸ方向に複数配列されている。
背面側単位光学形状１３１は、図２（ｂ）に示すように、その配列方向に平行であって導光板１３の板面に直交する方向における断面（ＸＺ面）における断面形状が略台形形状である。背面側単位光学形状１３１は、入光面側（Ｘ１側）に位置する第１斜面部１３２と、対向面側（Ｘ２側）に位置し、入射する光の少なくとも一部を全反射する第２斜面部１３３と、第１斜面部１３２及び第２斜面部１３３との間に位置する頂面部１３４とを有している。
この背面側単位光学形状１３１の配列ピッチは、Ｐ１であり、配列ピッチＰ１は、背面側単位光学形状１３１の配列方向の幅Ｗ１に等しい（Ｐ１＝Ｗ１）形態となっている。本実施形態では、配列ピッチＰ１は、配列方向において一定である。
【００２８】
第１斜面部１３２は、導光板１３の板面（出光面１３ｃに平行な面、ＸＹ面に平行な面）と角度βをなしている。また、第２斜面部１３３は、導光板１３の板面（出光面１３ｃに平行な面、ＸＹ面に平行な面）と角度αをなしている。このとき、角度α，βは、α＜βである。
第１斜面部１３２は、背面側単位光学形状１３１内において入光面１３ａ側に位置し、入光面側端部よりも対向面側（頂面部側）端部が背面側となるように傾斜しており、第１斜面部１３２には、入光面１３ａ側から対向面１３ｂ側へ（Ｘ１側からＸ２側へ）導光する光が入射しにくい。
【００２９】
第２斜面部１３３は、導光板１３内を導光する光の一部が入射し、かつ、その入射した光の少なくとも一部を全反射する。そして、第２斜面部１３３で全反射することにより、その光が出光面１３ｃ（ＸＹ面に平行な面）に対する入射角度が小さくなる方向に、その光の進行方向が変化する。従って、導光方向における明るさの均一性や、光の取り出し効率の双方を向上させる観点から、角度αは、１°＜α≦５°を満たすことが好ましい。
仮に、α≦１°であると、導光方向（Ｘ方向）に進む光が、第２斜面部１３３で全反射したとき、全反射前後での出光面１３ｃ（ＸＹ面に平行な面）となす角度の変化量が小さくなり過ぎ、十分に光を取り出すことができず、光の取り出し効率が低下する。
また、仮に、α＞５°であると、導光方向（Ｘ方向）に進む光が、第２斜面部１３３で全反射したとき、全反射前後での出光面１３ｃ（ＸＹ面に平行な面）となす角度の変化量が大きくなり過ぎ、輝度ムラや、入光面１３ａから遠い領域での明るさの低下を招く。また、導光板１３からの出光方向のばらつきも大きくなるので、後述するプリズムシート１５での偏向作用が不十分となり、収束性が低下して、正面輝度が低下する。
以上のことから、角度αは、１°＜α≦５°を満たすことが好ましい。
【００３０】
頂面部１３４は、背面側（Ｚ１側）への高さｈの異なる複数の面を有している。ここで、背面側（Ｚ１側）への高さｈとは、背面側単位光学形状１３１間の谷底に位置する点ｖを通り、導光板１３の板面に平行な面（出光面１３ｃに平行な面）から、背面側（Ｚ１側）への寸法であるものとする。
一例として、図５に示す頂面部１３４は、面１３４ａ，１３４ｂ，１３４ｃ，１３４ｄを有している。この面１３４ａ〜１３４ｄは、出光面１３ｃ（導光板１３の板面）に平行な面であり、背面側単位光学形状１３１の長手方向（Ｙ方向）を長手方向とし、背面側単位光学形状１３１の配列方向（Ｘ方向）に沿って配列されている。また、面１３４ａ〜１３４ｄは、それぞれ、背面側への高さｈがそれぞれ異なる。
【００３１】
面１３４ａ〜１３４ｄのうち、最も第１斜面部１３２側（入光面側、Ｘ１側）に位置する面１３４ａの背面側への高さｈが最も小さく、第２斜面部１３３側（対向面側、Ｘ２側）に向かうにつれて、次第に背面側への高さｈが大きくなり、最も第２斜面部１３３側に位置する面１３４ｄの背面側のへの高さｈが最も大きくなっている。そして、頂面部１３４は、これらの面１３４ａ〜１３４ｄを有することにより、配列方向に沿って階段状となっている。各面間の背面側への高さｈの差は、一定であってもよいし、異なっていてもよい。
また、面１３４ａ〜１３４ｄの間に斜面１３４ｅが形成されている。この斜面１３４ｅは、導光板１３の板面（ＸＹ面に平行な面）と角度βをなし、第１斜面部１３２に平行な斜面である。
なお、本実施形態では、面１３４ａ〜１３４ｄは、その配列方向における幅が等しい例を挙げて説明するが、配列方向における幅は、等しくなくてもよい。
【００３２】
図６は、本実施形態の背面側単位光学形状１３１の配列方向の各部における形状を示す図である。図６（ａ）は、入光面１３ａ近傍であり、図６（ｂ）は、配列方向中央であり、図６（ｃ）は、対向面１３ｂ近傍である。
背面側単位光学形状１３１の配列方向において、背面側単位光学形状１３１の幅Ｗ１とし、頂面部１３４の寸法Ｗａ、第１斜面部１３２及び第２斜面部１３３が占める寸法Ｗｂとする。
背面側単位光学形状１３１は、その配列方向において、配列ピッチＰ１、幅Ｗ１、角度α，βは一定である。しかし、背面側単位光学形状１３１の幅Ｗ１に対する、第１斜面部１３２及び第２斜面部１３３の寸法Ｗｂの比Ｗｂ／Ｗ１が、配列方向に沿って入光面１３ａから離れるにつれて大きくなっている。また、背面側単位光学形状１３１の幅Ｗ１に対する頂面部１３４の寸法Ｗａの比Ｗａ／Ｗ１は、配列方向に沿って入光面１３ａから離れるにつれて小さくなっている。
【００３３】
即ち、図６（ａ）に示すように、入光面１３ａ（光源部側）近傍では、背面側単位光学形状１３１の幅Ｗ１に対して頂面部１３４の寸法Ｗａが占める比Ｗａ／Ｗ１が大きく、背面側単位光学形状１３１の幅Ｗ１に対して第１斜面部１３２及び第２斜面部１３３の寸法Ｗｂが占める比Ｗｂ／Ｗ１が小さい。
対向面側（Ｘ２側）へ進むにつれて、図６（ｂ）に示すように、次第に比Ｗａ／Ｗ１が小さく、比Ｗｂ／Ｗ１が大きくなる。そして、図６（ｃ）に示すように、対向面１３ｂ近傍では比Ｗｂ／Ｗ１が大きく、比Ｗａ／Ｗ１が小さい。
このように、対向面側へ向かうにつれて、両斜面部（特に、第２斜面部１３３）が占める比率を大きくすることにより、効率よく光を出光させることができ、導光方向における明るさの均一性も向上する。
【００３４】
本実施形態では、比Ｗｂ／Ｗ１は、最も入光面側（Ｘ１側）で約２０／１００であり、最も対向面側（Ｘ２側）で約８０／１００となっている。しかし、これに限らず、この比Ｗｂ／Ｗ１に関しては、所望する光学性能等に応じて、適宜設定でき、最も入光面側で約１０／１００、最も対向面側で約９０／１００となるような範囲内であれば、適宜設定してよい。
【００３５】
本実施形態では、上述のように、配列ピッチＰ１（幅Ｗ１）、角度α，βは、一定であり、図６に示すように、対向面側（Ｘ２側）に向かうにつれて、頂面部１３４を形成する面の数を少なくし、背面側単位光学形状１３１の幅Ｗ１に対して両斜面部（特に、第２斜面部１３３）の幅Ｗｂが占める比率を大きくしている。
しかし、これに限らず、頂面部１３４を形成する面の数を一定とし、各面の幅を調整することにより、頂面部１３４の寸法Ｗａを調整する形態としてもよい。
また、最も対向面側及びその近傍においては、頂面部１３４の幅Ｗａは十分に小さく、反射シート１４と頂面部１３４との光学密着による影響が小さいので、最も対向面側やその近傍に位置する背面側単位光学形状１３１では、頂面部１３４が、１つの面から形成される形態としてもよい。
【００３６】
本実施形態の導光板１３において、背面側への高さｈが最も高い面が反射シート１４との接触部となっている。例えば、図５においては、面１３４ｄが接触部となる。
このとき、背面側単位光学形状１３１の配列ピッチＰ１に対する接触部（もっとも背面側へ高さの高い面１３４ｄ）の幅をＷｃとすると、比Ｗｃ／Ｐ１は、０．０９≦Ｗｃ／Ｐ１≦０．４０を満たすことが、反射シート１４と導光板１３との光学密着を防止する観点から好ましい。
【００３７】
比Ｗｃ／Ｐ１は、小さい値である方が、光学密着の抑制に効果的である。しかし、仮に、Ｗｃ／Ｐ１＜０．０９である場合、接触部（面１３４ｄ）の寸法が小さく、背面側単位光学形状１３１の接触部が破損しやすくなったり、そのような接触部を有する導光板１３の製造が困難となったり、生産コストが増加したりするという問題がある。また、反射シート１４を傷つける可能性もある。
また、仮に、Ｗｃ／Ｐ１＞０．４０である場合、接触部の寸法が大きく、導光板１３と反射シート１４との接触面積が大きくなり、光学密着が生じやすくなるという問題がある。
従って、比Ｗｃ／Ｐ１は、０．０９≦Ｗｃ／Ｐ１≦０．４０を満たすことが好ましい。
【００３８】
なお、前述のように、本実施形態では、背面側単位光学形状１３１の幅Ｗ１（配列ピッチＰ１）に対する、頂面部１３４の幅Ｗａは、導光方向に沿って、光源部１２から離れるにつれて小さくなっている。一方、比Ｗｃ／Ｐ１は、導光方向に沿って一定若しくは略一定である。これに限らず、比Ｗｃ／Ｐ１は、導光方向に沿って変化する形態としてもよい。
【００３９】
また、配列ピッチＰ１は、Ｐ１＝５０〜３００μｍ程度とすることが好ましい。
仮に、配列ピッチＰ１が、この範囲よりも小さいと、背面側単位光学形状１３１の製造が困難となり、設計通りの形状が得られなくなる。また、仮に、配列ピッチＰ１がこの範囲よりも大きいと、配列ピッチＰ１に比例して、接触部となる面１３４ｄの面積も大きくなり、光学密着が生じやすくなる。また、配列ピッチＰ１がこの範囲よりも大きいと、モアレが生じやすくなったり、面光源装置１０等としての使用状態において、背面側単位光学形状１３１のピッチが認識されやすくなったりする。
従って、配列ピッチＰ１は、上記範囲とすることが好ましい。
【００４０】
図８は、実施形態の導光板１３における光の導光の様子の一例を示す図である。
導光板１３の頂面部１３４は、入光面側に位置する面１３４ａから対向面側に向かって次第に背面側への高さｈが高くなる階段状であり、各面の間に位置する斜面１３４ｅが出光面１３ｃに平行な面と角度βをなしているので、入光面側から導光する光は、入射しにくく、仮に入射したとしても、その影響は小さい。そのため、本実施形態の頂面部１３４は、光学設計上は、出光面１３ｃに平行な１つの面からなる頂面部に略等しくなる。
従って、本実施形態によれば、図８に示すように、頂面部１３４に入射した光Ｌ２は、全反射することができ、光学設計外の方向へ進む光が殆ど生じない。よって、明るさの面内均一性が高い良好な導光板１３、及び、面光源装置１０、透過型表示装置１とすることができる。
【００４１】
本実施形態の導光板１３は、バイト等で背面側単位光学形状１３１を賦形する成形型と、出光側単位光学形状１３５を賦形する成形型とそれぞれを作製し、それらの成形型を用いて、押出成形法や射出成形する等により形成される。使用する熱可塑性樹脂は、光透過性が高いものであれば特に限定されないが、例えば、アクリル系樹脂、ＣＯＰ（シクロオレフィンポリマー）樹脂、ＰＣ樹脂等が挙げられる。
なお、これに限らず、押出成形等により成形したシート状の部材の両面に、紫外線成形法によって、背面側単位光学形状１３１及び出光側単位光学形状１３５を一体に形成して、導光板１３としてもよい。
【００４２】
図１に戻って、反射シート１４は、光を反射可能なシート状の部材であり、導光板１３よりも背面側（Ｚ１側）に配置されている。この反射シート１４は、導光板１３からＺ１側へ向かう光を反射して、導光板１３内へ向ける機能を有している。
反射シート１４は、光の利用効率等を高める観点等から、主として鏡面反射性（正反射性）を有するものが好ましい。反射シート１４は、例えば、少なくとも反射面（導光板１３側の面）が金属等の高い反射率を有する材料により形成されたシート状の部材、高い反射率を有する材料により形成された薄膜（例えば金属薄膜）を表面層として含んだシート状の部材等を用いることができる。なお、これに限らず、反射シート１４は、例えば、主として拡散反射性を有し、反射率の高い白色の樹脂製のシート状部材等としてもよい。
【００４３】
図７は、本実施形態のプリズムシート１５を説明する図である。図７では、プリズムシート１５のＸＺ面に平行な断面の一部を拡大して示している。
プリズムシート１５は、導光板１３よりもＬＣＤパネル１１側（Ｚ２側）に配置されている（図１参照）。プリズムシート１５は、導光板１３の出光面１３ｃから出射した光の進行方向を、正面方向（Ｚ方向）又は、Ｚ方向となす角度が小さい方向へ偏向（集光）する作用を有する偏向光学シートである。
プリズムシート１５は、プリズム基材層１５２と、プリズム基材層１５２の導光板１３側（Ｚ１側）に複数配列されて形成された単位プリズム１５１とを有している。
【００４４】
プリズム基材層１５２は、プリズムシート１５のベース（基材）となる部分である。プリズム基材層１５２は、光透過性を有する樹脂製のシート状の部材が用いられている。
単位プリズム１５１は、導光板１３側（Ｚ１側）に凸となる三角柱形状であり、プリズム基材層１５２の背面側（Ｚ１側）の面に、長手方向（稜線方向）をＹ方向とし、Ｘ方向に複数配列されている。即ち、単位プリズム１５１の配列方向は、透過型表示装置１の表示面の法線方向（Ｚ方向）から見て、導光板１３の背面側単位光学形状１３１の配列方向に平行であり、出光側単位光学形状１３５の配列方向と直交している。
【００４５】
本実施形態の単位プリズム１５１は、その配列方向（Ｘ方向）及びシート面に直交する方向（Ｚ方向）に平行な断面（ＸＺ面）での断面形状が、頂角をεとする二等辺三角形形状である例を示している。しかし、これに限らず、単位プリズム１５１の断面形状は、不等辺三角形形状としてもよい。また、単位プリズム１５１は、少なくとも一方の面（例えば、Ｘ２側の面）が複数の面からなる折れ面状となっていてもよいし、曲面と平面とを組み合わせた形状としてもよいし、断面形状が配列方向において非対称な形状としてもよい。
単位プリズム１５１は、配列ピッチがＰ３、配列方向の幅がＷ３であり、配列方向において配列ピッチと配列方向のレンズ幅が等しい（Ｐ３＝Ｗ３）形状となっている。
プリズムシート１５は、導光板１３から出射し、一方の面（例えば、面１５１ａ）から入射した光Ｌ１を他方の面（例えば、面１５１ｂ）で全反射させることにより、その進行方向を正面方向（Ｚ方向）又は正面方向に対してなす角度が小さくなる方向へ偏向（集光）する。
【００４６】
プリズムシート１５は、例えば、ＰＥＴ（ポリエチレンテレフタレート）樹脂製や、ＰＣ（ポリカーボネート）樹脂製等のシート状のプリズム基材層１５２の片面に、紫外線硬化型樹脂等の電離放射線硬化型樹脂により単位プリズム１５１を形成して作製される。
なお、これに限らず、例えば、プリズムシート１５は、ＰＣ樹脂、ＭＢＳ（メチルメタクリレート・ブタジエン・スチレン共重合体）樹脂、ＭＳ（メチルメタクリレート・スチレン共重合体）樹脂、ＰＥＴ樹脂、ＰＳ（ポリスチレン）樹脂等の熱可塑性樹脂を押し出し成形することにより形成してもよい。
【００４７】
図１に戻って、光拡散シート１６は、光を拡散する作用を有するシート状の部材である。光拡散シート１６は、プリズムシート１５のＬＣＤパネル１１側（Ｚ２側）に設けられている。
このような光拡散シート１６を設けることにより、視野角を適度に広げたり、ＬＣＤパネル１１の不図示の画素と単位プリズム１５１等とによって生じるモアレ等を低減したりする効果が得られる。
光拡散シート１６は、各種汎用の光拡散性を有するシート状の部材を、面光源装置１０及び表示装置１として所望される光学性能や、導光板１３の光学特性等に合わせて、適宜選択して用いてよい。
【００４８】
このような光拡散シート１６としては、拡散材を含有する樹脂製のシート状の部材や、基材となる樹脂製のシート状の部材の少なくとも片面等に拡散材を含有するバインダをコートした部材や、基材となる樹脂製のシート状の部材の片面等にマイクロレンズアレイが形成されたマイクロレンズシート等を用いることができる。
【００４９】
また、前述のプリズムシート１５のプリズム基材層１５２の出光側（Ｚ２側）の面に、光拡散シート１６との光学密着の防止や、光拡散機能の付与を目的として、微細凹凸形状を形成してもよい。このような凹凸形状としては、ビーズ状フィラーを含有するバインダをコートして形成したマット層等が好適であるが、この限りではない。
【００５０】
なお、光拡散シート１６に限らず、プリズムシート１５よりもＬＣＤパネル１１側（Ｚ２側）に、特定の偏光状態の光を透過し、それ以外の偏光状態の光については反射する機能を有する偏光選択反射シートを配置してもよい。なお、このような偏光選択反射シートを用いる場合には、偏光選択反射シートの透過軸が、ＬＣＤパネル１１の入光側（Ｚ１側）に位置する不図示の偏光板の透過軸と平行となるように配置することが、輝度向上や光の利用効率向上の観点から好ましい。このような偏光選択反射シートとしては、例えば、ＤＢＥＦシリーズ（住友スリーエム株式会社製）を使用することができる。
また、光拡散シート１６に限らず、レンチキュラーレンズシート等の各種光学シート等を配置してもよい。
さらに、光拡散シート１６のＬＣＤパネル１１側に、さらに、上述のような偏光選択反射シートや各種光学シート等を配置してもよい。
【００５１】
（試験体の傷等の発生の評価）
次に、出光面の平坦部の幅Ｗ２３が相違する複数種類の導光板を作製し、各導光板にプリズムシート（図７参照）を積層した各試験体（試験体１〜１８）をそれぞれ加振器により振動させて、導光板及びプリズムシートのそれぞれに生じる傷や、破損の評価試験の結果について説明する。
図９は、評価に用いた試験体の振動試験の状態を示す図である。
図１０は、各試験体の評価結果をまとめた図である。
【００５２】
本評価において使用される各試験体は、上述したように、導光板と、導光板の出光面上に積層されるプリズムシートとから構成されている。ここで、導光板とプリズムシートとは、対向する２辺に粘着テープＴ１が貼付されることによって互いに固定されている。
各試験体は、図９に示すように、加振器１００の加振台１０１上に粘着テープＴ２により固定される。加振器１００は、アイデックス株式会社製のＢＦ−５０ＵＣを使用しており、鉛直方向及び水平方向の３方向にランダムに加振台を所定の周波数及び加速度で振動させることができる。本評価試験では、加振器１００は、周波数６７Ｈｚ、加速度１０Ｇにより、試験体を固定した加振台１０１を振動させる。各試験体に用いられる導光板及びプリズムシートは、それぞれが対角８インチの大きさに形成されている。
【００５３】
また、各試験体に使用されるプリズムシートは、上述の実施形態（図７参照）と同様に、導光板と対向する面に単位プリズムが複数配列されており、紫外線硬化型のアクリル系樹脂により形成されている。また、各試験体に使用されるプリズムシートは、そのヤング率が６３．１ＭＰａであり、復元仕事率が２９．０％である。試験体１〜６に使用されるプリズムシートは、単位プリズムの頂角εが５８．５度であり、試験体７〜１２に使用されるプリズムシートは、単位プリズムの頂角εが６８．１度であり、試験体１３〜１８に使用されるプリズムシートは、単位プリズムの頂角εが７５．０度である。
各試験体に使用されるプリズムシートは、アクリル酸２エチルヘキシル、フェノキシエチルアクリレート、ＥＯ変性ビスフェノールＡジアクリレート、アクリル酸２ヒドロキシエチル、ヘキサメチレンジイソシアネート、ルシリンＴＰＯ、リン酸トリフェニル、フッ素系界面活性剤から構成されている。
【００５４】
試験体１、試験体７、試験体１３に使用される導光板は、出光面に、凹曲面及び傾斜面から構成される溝形状がＹ方向に隙間なく複数配列される、すなわち、各出光側単位光学形状（溝形状）間に平坦部が形成されていない形態である（図４参照）。そのため、試験体１、試験体７、試験体１３に使用される導光板は、平坦部の幅Ｗ２３が、それぞれＷ２３＝０μｍである。
試験体２〜６、試験体８〜１２、試験体１４〜１８に使用される導光板は、出光面に、凹曲面及び傾斜面から構成される出光側単位光学形状（溝形状）と、平坦部が交互にＹ方向に複数配列されている（図２（ａ）等参照）。試験体２〜６の相違点は、平坦部の幅Ｗ２３の寸法がそれぞれ相違している点である。同様に、試験体８〜１２の相違点は、平坦部の幅Ｗ２３の寸法がそれぞれ相違している点である。同様に、試験体１４〜１８の相違点は、平坦部の幅Ｗ２３の寸法がそれぞれ相違している点である。
【００５５】
試験体２に使用される導光板の平坦部の幅Ｗ２３は、Ｗ２３＝０．５μｍである。
試験体３に使用される導光板の平坦部の幅Ｗ２３は、Ｗ２３＝１．５μｍである。
試験体４に使用される導光板の平坦部の幅Ｗ２３は、Ｗ２３＝２．０μｍである。
試験体５に使用される導光板の平坦部の幅Ｗ２３は、Ｗ２３＝２．５μｍである。
試験体６に使用される導光板の平坦部の幅Ｗ２３は、Ｗ２３＝３．６μｍである。
試験体８に使用される導光板の平坦部の幅Ｗ２３は、Ｗ２３＝０．５μｍである。
試験体９に使用される導光板の平坦部の幅Ｗ２３は、Ｗ２３＝１．５μｍである。
試験体１０に使用される導光板の平坦部の幅Ｗ２３は、Ｗ２３＝２．０μｍである。
試験体１１に使用される導光板の平坦部の幅Ｗ２３は、Ｗ２３＝２．５μｍである。
試験体１２に使用される導光板の平坦部の幅Ｗ２３は、Ｗ２３＝３．６μｍである。
【００５６】
試験体１４に使用される導光板の平坦部の幅Ｗ２３は、Ｗ２３＝０．５μｍである。
試験体１５に使用される導光板の平坦部の幅Ｗ２３は、Ｗ２３＝１．５μｍである。
試験体１６に使用される導光板の平坦部の幅Ｗ２３は、Ｗ２３＝２．０μｍである。
試験体１７に使用される導光板の平坦部の幅Ｗ２３は、Ｗ２３＝２．５μｍである。
試験体１８に使用される導光板の平坦部の幅Ｗ２３は、Ｗ２３＝３．６μｍである。
各試験体に使用される導光板は、熱可塑性のアクリル系樹脂により形成されており、そのヤング率は３．０ＧＰａである。
【００５７】
各試験体の傷及び破損の評価結果と、各試験体に用いた導光板のホットスポットの評価結果とを図１０にまとめる。図１０中の「傷等の発生数」は、上述の加振器による振動試験によって、導光板の出光面又はプリズムシートの導光板側の面に傷や、欠け等の破損が生じた数を目視により確認した結果である。
また、図１０中の「ホットスポット」は、各試験体に用いた導光板の入光面に光源を配置して光を入射させた場合に、出光面の入光面近傍に輝度ムラ（ホットスポット）が生じるか否かを目視により確認した結果である。ホットスポットの評価は、ホットスポットが確認されなかった場合を「○」とし、ホットスポットが若干確認されたが製品として十分に使用できる場合を「△」とし、ホットスポットが明確に確認された場合を「×」とした。
図１０中の総合評価は、導光板やプリズムシートに傷等が生じず、かつ、ホットスポットの評価が「○」となる場合を「○」とし、導光板やプリズムシートに傷等が生じないが、ホットスポットの評価が「△」となる場合を「△」とし、導光板やプリズムシートに傷等が生じてしまうか、若しくは、ホットスポットの評価が「×」となる場合を「×」とした。
【００５８】
（頂角ε＝５８．５度のプリズムシートを用いた試験体（１〜６）の評価結果）
図１０に示すように、平坦部を有しない導光板を備える試験体１は、ホットスポットの評価が「○」となったが、導光板や、プリズムシートに傷等が３カ所認められたため、総合評価が「×」となった。
また、試験体５は、導光板や、プリズムシートに傷等が認められなかったが、ホットスポットの評価が「△」となったため、総合評価が「△」となった。
試験体６は、導光板や、プリズムシートに傷等が認められなかったが、ホットスポットの評価が「×」となったため、総合評価が「×」となった。
これに対して、試験体２〜４は、導光板や、プリズムシートに傷等が認められなかったとともに、ホットスポットの評価が「○」であったため、総合評価が「○」となった。
【００５９】
（頂角ε＝６８．１度のプリズムシートを用いた試験体（７〜１２）の評価結果）
図１０に示すように、平坦部を有しない導光板を備える試験体７は、ホットスポットの評価が「○」となったが、導光板や、プリズムシートに傷等が２カ所認められたため、総合評価が「×」となった。
また、試験体１１は、導光板や、プリズムシートに傷等が認められなかったが、ホットスポットの評価が「△」となったため、総合評価が「△」となった。
試験体１２は、導光板や、プリズムシートに傷等が認められなかったが、ホットスポットの評価が「×」となったため、総合評価が「×」となった。
これに対して、試験体８〜１０は、導光板や、プリズムシートに傷等が認められなかったとともに、ホットスポットの評価が「○」であったため、総合評価が「○」となった。
【００６０】
（頂角ε＝７５．０度のプリズムシートを用いた試験体（１３〜１８）の評価結果）
図１０に示すように、平坦部を有しない導光板を備える試験体１３は、ホットスポットの評価が「○」となったが、導光板や、プリズムシートに傷等が２カ所認められたため、総合評価が「×」となった。
また、試験体１７は、導光板や、プリズムシートに傷等が認められなかったが、ホットスポットの評価が「△」となったため、総合評価が「△」となった。
試験体１８は、導光板や、プリズムシートに傷等が認められなかったが、ホットスポットの評価が「×」となったため、総合評価が「×」となった。
これに対して、試験体１４〜１６は、導光板や、プリズムシートに傷等が認められなかったとともに、ホットスポットの評価が「○」であったため、総合評価が「○」となった。
【００６１】
以上の結果より、平坦部の幅Ｗ２３が０．５μｍ以上であると、導光板及びプリズムシートに傷等が生じてしまうのを十分に回避することができることが確認された。また、平坦部の幅２３が２．５μｍよりも大きいと、傷等の発生は回避できるが、導光板から出光する光にホットスポットが生じやすくなってしまうことが確認された。更に、平坦部の幅２３が２．０μｍ以下であると、ホットスポットの発生を十分に抑制することができることが確認された。
したがって、導光板の平坦部の幅Ｗ２３は、０．５μｍ≦Ｗ２３≦２．５μｍを満たすことで、傷等を防ぐとともに、導光板の良好な出光特性を得ることができることが確認され、また、０．５μｍ≦Ｗ２３≦２．０μｍを満たすことで、ホットスポットの発生をより抑制し、導光板の更に良好な出光特性を得ることができることが確認された。
また、プリズムシートの単位プリズムの頂角εが相違する場合においても、試験体１〜６と、試験体７〜１２と、試験体１３〜１８との傷等の発生と、ホットスポットの発生の傾向が同様になり、試験体１〜６のように頂角εがより鋭角になった場合においても、傷等を防ぐとともに、導光板の良好な出光特性を得ることができることが確認された。
【００６２】
以上より、本実施形態の導光板１３は、以下の効果を奏する。
（１）本実施形態の導光板１３は、隣り合う出光側単位光学形状１３５間に、出光面１３ｃに略平行な平坦部１３６が設けられている。これにより、導光板１３の出光面１３ｃ上にプリズムシート１５等の偏向光学シートが配置された場合に、プリズムシート１５や、出光側単位光学形状１３５間の境界部（平坦部１３６）が傷付いたり、破損したりしてしまうのを大幅に抑制することができる。
（２）本実施形態の導光板１３は、平坦部１３６の出光側単位光学形状１３５の配列方向における幅寸法ｔが、０．５μｍ≦ｔ≦２．５μｍであるので、導光板や、プリズムシートの傷付き等をより効率よく抑制するとともに、導光板から出光する光にホットスポットが生じてしまうのを抑制することができる。
（３）本実施形態の導光板１３は、平坦部１３６の出光側単位光学形状１３５の配列方向における幅寸法ｔが、０．５μｍ≦ｔ≦２．０μｍであるので、導光板や、プリズムシートの傷付き等をより効率よく抑制するとともに、導光板から出光する光にホットスポットが生じてしまうのをより効率よく抑制することができる。
（４）本実施形態の導光板１３は、出光側単位光学形状１３５（溝形状）の底部１３５ｃが背面側（Ｚ１側）に凹となる凹曲面１３５ａに形成されているので、導光板内において導光される光をよりＹ方向に広げて出光することができ、光源部１２に使用されるＬＥＤに色ムラや輝度ムラが存在していたとしても、出光面の中央部分に筋状のムラが生じてしまったり、入光面近傍にホットスポットが生じてしまったりするのを抑制することができる。
【００６３】
（変形形態）
以上説明した実施形態に限定されることなく、種々の変形や変更が可能であって、それらも本発明の範囲内である。
図１１は、変形形態の出光側単位光学形状を示す図である。
図１２は、変形形態の出光側単位光学形状を示す図である。
図１１及び図１２の各図は、それぞれ図２（ａ）に対応する図である。
（１）上述の実施形態において、出光側単位光学形状１３５は、その溝形状の底部１３５ｃに背面１３ｄ側（Ｚ１側）に凹となる凹曲面１３５ａが形成される例で説明したが（図２（ａ）参照）、これに限定されるものでない。
例えば、出光側単位光学形状１３５は、図１１（ａ）に示すように、導光方向に直交する面（ＹＺ面）における断面形状が、二つの斜面１３５ａ、１３５ｂから構成される三角形状の溝形状に形成されるようにしてもよい。また、出光側単位光学形状１３５は、図１１（ｂ）に示すように、ＹＺ面における断面形状が複数の斜面（１３５ａ、１３５ｂ、１３５ｅ、１３５ｆ）から構成される五角形状の溝形状に形成されるようにしてもよい。これらの場合でも、各出光側単位光学形状１３５（溝形状）間に平坦部１３６を設けることによって、上述の実施形態と同様の効果を奏することができる。
【００６４】
（２）上述の実施形態において、出光側単位光学形状１３５は、傾斜面１３５ｂが、溝形状の端縁部１３５ｄから底部１３５ｃ側へと傾斜する平坦な面である例を示したが、これに限定されるものでない。例えば、傾斜面１３５ｂは、平坦ではなく、図１２に示すように、背面１３ｄ側に凹となる凹状の曲面に形成されるようにしてもよい。
【００６５】
（３）上述の実施形態において、背面側単位光学形状１３１は、頂面部１３４が高さの異なる複数の面により階段状に形成される例を示したが、これに限定されるものでなく、他の形状に形成されるようにしてもよい。例えば、頂面部１３４は、一つの平坦面から構成されるようにしてもよい。
【００６６】
（４）面光源装置１０は、対向面１３ｂを第２入光面１３ｂとし、この面に対向する位置にさらに光源部１２を配置してもよい。この場合、例えば、背面側単位光学形状１３１は、その配列方向において、入光面１３ａから導光板１３の中心点までは、上述の実施形態の形状であり、その中心点から対向面１３ｂまでは、上述の実施形態のＸ方向を逆転した形であり、中心点から第２入光面１３ｂまで、比Ｗｂ／Ｗ１がＸ２側に向かうにつれて次第に小さく（比Ｗａ／Ｗ１は次第に大きくなる）形状とすることが好ましい。このとき、導光板１３の背面は、ＸＺ面に平行な断面において、導光方向の中心を通りＺ方向に平行な直線を軸として対称な形状となる。
【００６７】
（５）背面側単位光学形状１３１の配列方向における配列ピッチＰ１は、配列方向において、段階的又は連続的に、変化する形態としてもよい。
また、角度αに関しても、同様に、背面側単位光学形状１３１の配列方向において、段階的又は連続的に、変化する形態としてもよい。良好な光学性能を得るために、角度α、β、配列ピッチＰ１等は適宜設定してよい。
【００６８】
（６）導光板１３の総厚は、入光面側（Ｘ１側）が厚く、対向面側（Ｘ２側）へ進むにつれて次第に薄くなる形状としてもよい。
【００６９】
（７）面光源装置１０は、導光板１３に背面側（Ｚ１側）に反射シート１４が配置される例を示したが、これに限らず、例えば、反射シート１４ではなく、例えば、透過型表示装置１等の筐体の内側の面であって、導光板１３の背面１３ｄに対面する面に、光反射性を有する塗料や金属箔等を塗付又は転写等して形成してもよい。
【００７０】
（８）面光源装置１０は、プリズムシート１５とＬＣＤパネル１１との間に、拡散作用を有する光学シートや、各種レンズ形状やプリズム形状が形成された他の光学シート等を組み合わせて配置してもよい。また、面光源装置１０は、プリズムシート１５以外の偏向作用を有する光学シートを用いてもよい。
使用環境や所望の光学性能に合わせて、面光源装置１０として導光板１３と組み合わせて用いる各種光学シート等は、適宜選択して用いることができる。
【００７１】
なお、本実施形態及び変形形態は、適宜組み合わせて用いることもできるが、詳細な説明は省略する。また、本発明は以上説明した実施形態等によって限定されることはない。
【符号の説明】
【００７２】
１    透過型表示装置
１０    面光源装置
１１    ＬＣＤパネル
１２    光源部
１２１    点光源
１３    導光板
１３１    背面側単位光学形状
１３２    第１斜面部
１３３    第２斜面部
１３４    頂面部
１３４ａ〜１３４ｄ    面
１３５    出光側単位光学形状
１３５ａ    凹曲面
１３５ｂ    傾斜面
１３５ｃ    底部
１３５ｄ    端縁部
１３６    平坦部
１４    反射シート
１５    プリズムシート
１６    光拡散シート
【要約】
【課題】出光面上に配置される偏向光学シートや、導光板の出光側単位光学形状が傷付いたり、破損したりしてしまうのを抑制することができる導光板、面光源装置、透過型表示装置を提供する。
【解決手段】導光板１３は、光が入射する入光面１３ａと、入光面１３ａに交差し光が出射する出光面１３ｃと、出光面１３ｃに対向する背面１３ｄとを有し、入光面１３ａから入射した光を導光方向に導光しながら出光面１３ｃから出射し、出光面１３ｃには、出光側単位光学形状１３５が導光方向（Ｘ方向）に垂直であって該導光板の厚み方向（Ｚ方向）に垂直な方向（Ｙ方向）に複数配列されており、出光側単位光学形状１３５は、導光方向に延在し出光面１３ｃから窪んだ溝形状に形成されており、隣り合う出光側単位光学形状１３５間には、導光板１３の厚み方向において最も出光側（Ｚ２側）に位置し、出光面１３ｃに略平行な平坦部１３６が設けられていることを特徴とする。
【選択図】図３【図１】
0006020687.tif 000002
【図２】
0006020687.tif 000003
【図３】
0006020687.tif 000004
【図４】
0006020687.tif 000005
【図５】
0006020687.tif 000006
【図６】
0006020687.tif 000007
【図７】
0006020687.tif 000008
【図８】
0006020687.tif 000009
【図９】
0006020687.tif 000010
【図１０】
0006020687.tif 000011
【図１１】
0006020687.tif 000012
【図１２】
0006020687.tif 000013